(57)【要約】【課題】  扉体の軽量化を図ることにより、扉体支持部を必要以上に堅牢化することがないプラットホーム用ドア装置を提供する。【解決手段】プラットホーム用ドア装置の扉体を遮蔽面部と、扉支持部とで構成するとともに、該扉支持部には扉体を戸袋部に収納した際、戸袋内部に設けた該扉体の駆動装置を収容する収容空間部を形成した。【選択図】  図４
2010173517.tif 000002
【特許請求の範囲】
【請求項１】
プラットホームの線路側縁部に沿って立設され、停車した鉄道車輌の乗降口に対面する扉体を左右に配設した戸袋内に収納することにより、該車輌への乗降路を開放するように構成したプラットホーム用ドア装置において、前記扉体は戸袋から突出して乗降路を閉鎖する遮蔽面部と、常時戸袋内部に位置し遮蔽面部を支持する扉支持部とで構成するとともに、前記扉支持部には扉体を戸袋に収納した際、戸袋内部に設けた該扉体の駆動装置が収容される収容空間部が形成されていることを特徴とするプラットホーム用ドア装置の扉体。
【請求項２】
上記扉支持部は、遮蔽面部の戸尻側から戸袋の奥壁側に向けて突成した上下の延出部で形成され、該延出部に扉体の支持機構を設けると共に、上下延出部間に上記収容空間部が形成されていることを特徴とする請求項１記載のプラットホーム用ドア装置の扉体。
【請求項３】
上記延出部の内、上側に突成した上部延出部には扉体の前後方向の振れを規制して該扉体を垂直姿勢に保持する規制体を設けると共に、下側に突成した下部延出部には扉体を摺動自在に支持する支持体が設けられていることを特徴とする請求項２記載のプラットホーム用ドア装置の扉体。
【発明の詳細な説明】
【技術分野】
【０００１】
本発明は、駅のプラットホームに設置されるプラットホーム用ドア装置の技術分野に関するものである。
【背景技術】
【０００２】
従来、駅のプラットホームの線路側縁部に沿って立設され、左右の戸袋部から突出した扉体がプラットホームと線路側とを区画することにより、線路内への転落や走行中の車輌への接触による危険を防止し、一方、車輌の停車時には該車輌の乗降口に対面する上記扉体を戸袋内に収納することにより、該車輌への乗降路を開放して安全に乗り降りができるように構成したプラットホーム用ドア装置が知られている。
【特許文献１】特開２００６−８２６２７号公報
【発明の概要】
【発明が解決しようとする課題】
【０００３】
上記特許文献１に示すプラットホーム用ドア装置の開閉扉は、スチール材から成る上部枠と、前部枠と、下部枠と、片持ち支持固定フレーム板とを略矩形状に組み合わせ固定した骨格枠体の前後に表面板を貼り付け、上記片持ち支持固定フレーム板の上側中間部と底部に設けた駆動側固定部に開閉扉を横方向に開閉移動させる開閉駆動用動力源を取り付けるようにしている。
ところが、プラットホーム用ドア装置は、扉体を左右の戸袋内に収納して車輌への乗降路を開放した状態で、乗降時のつまずき等の危険を防止するためプラットホーム上には扉体をガイドするためのレール部材や溝部等による凹凸部が生じないよう配慮がなされ、いわゆるバリアフリーに構成されている。このため扉体が戸袋部から突出した乗降路の閉鎖状態では、該扉体は戸袋内部側で支持された片持支持状態となるため、扉体には、軽量化が望まれるところであるが、上記特許文献１のものは上記したように扉体に駆動部材が組み込まれているので、該扉体は重量化したものとなってしまい扉支持部に過度の負担がかかり扉の戸先側が垂れ下がって安定した開閉動ができなくなってしまったり、或いは扉支持部を堅牢にする必要があって、製造コストの上昇を招くものである。
そこで、駆動部材を戸袋部に設けることも創案されるが、この場合は、扉体戸尻と駆動部材との衝突を回避するため戸袋幅寸法を大きくする必要があり、特に、隣接する乗降口間の距離による規制を受けるこの種ドア装置の戸袋においては、
該戸袋の先端側が乗降路側にはみ出してしまって乗降路の幅が十分確保できなくなってしまう可能性がある。
本発明は、扉体を可及的に軽量化すると共に、戸袋幅を必要以上に大きくなることがなく、円滑な開閉動作を行なうことが出来るようなプラットホーム用ドア装置の扉体を提供することを技術的課題とするものである。
【課題を解決するための手段】
【０００４】
本発明は、叙述の如き実情に鑑み、これらの課題を解決することを目的として創作されたものであって、請求項1に記載の発明は、プラットホームの線路側縁部に沿って立設され、停車した鉄道車輌の乗降口に対面する扉体を左右に配設した戸袋内に収納することにより、該車輌への乗降路を開放するように構成したプラットホーム用ドア装置において、前記扉体は戸袋から突出して乗降路を閉鎖する遮蔽面部と、常時戸袋内部に位置し遮蔽面部を支持する扉支持部とで構成するとともに、前記扉支持部には扉体を戸袋に収納した際、戸袋内部に設けた該扉体の駆動装置が収容される収容空間部が形成されていることを特徴とするものである。
請求項２の発明は、上記扉支持部は、遮蔽面部の戸尻側から戸袋の奥壁側に向けて突成した上下の延出フレーム部で形成され、該上下延出フレーム部に扉体の支持機構を設けると共に、上下延出フレーム部間に上記収容空間部が形成されていることを特徴とするものである。
また、請求項３記載の発明は、請求項２の延出部の内、上側に突成した上部延出部には扉体の前後方向の振れを規制して該扉体を垂直姿勢に保持するする規制体を設けると共に、下側に突成した下部延出部には、扉体を摺動自在に支持する支持体が設けられていることを特徴とするものである。
【発明の効果】
【０００５】
請求項１に記載の発明とすることにより、扉体の軽量化が図れるので戸袋部から扉体が突出した閉鎖状態でも戸先側が垂れ下がることがなく常に円滑な開閉動作を行なうことができ、また扉体の支持部を必要以上に堅牢化しなくてもよいものである。
請求項２、請求項３に記載の発明とすることにより、表面板の板幅を最小限に抑制することができ、扉体の軽量化と材料費の軽減を図ることができる。
【図面の簡単な説明】
【０００６】
【図１】プラットホーム用ドア装置の閉鎖状態を示す外観正面図である。
【図２】（Ａ）は、戸袋内部を示すプラットホーム用ドア装置の概略正面図で          ある。        （Ｂ）は、同上の上面図、（Ｃ）は、同上の側面図である。
【図３】戸袋の内部構造を示す要部縦断面図である。
【図４】扉体の構造を示す斜視図である。
【図５】（Ａ）は、扉体の正面図である。        （Ｂ）は、同上の上面図、（Ｃ）は、同上の側面図である。
【発明を実施するための形態】
【０００７】
つぎに、本発明の実施の形態について、図面に基づいて説明する。
図において、１は、プラットホーム用ドア装置であって、該プラットホーム用ドア装置１は、左右方向に所定間隔を存して離間対設した戸袋２，２と、該戸袋２から対向方向にそれぞれ出没自在に支持される扉体３とで構成されており、これによって扉体３が戸袋２から突出して左右の扉体３，３の戸先が当接した閉鎖姿勢と、扉体３，３が戸袋２，２の内部に収納された開放姿勢とに変姿可能になっている。
このように構成されたプラットホーム用ドア装置１は、電車等のプラットホームの線路側縁部に沿って複数個を連設することでプラットホームの長手方向略全長に亘って設置されており、上記の閉鎖姿勢ではプラットホーム側と線路側とが完全に区画されるようになっている。
また、扉体３は各車輌の乗降口にそれぞれ対面する位置に設置されており、プラットホームに入線した車輌が停車した状態においては、乗降用扉の開放に伴って各扉体３が戸袋２，２の内部に収納された開放姿勢となることにより乗降路が開放され、車輌への乗降が可能となるように構成されている。
【０００８】
戸袋２は、扉体３を出没自在に収納するものであって、該戸袋２は、鋼板製の長尺材を組み付けて形成される骨部４の外面側に、化粧鋼板等の外装板５を貼設して縦長の箱体に形成されており、一方側の側面には縦長の開口部６が開設され、該開口部６から扉体３が出し入れ可能に構成されている。
戸袋２内の骨材４には、戸袋２の幅寸法より僅かに短寸に設定された長尺状のレール材７と、振れ止めレール８がそれぞれ水平状に横設されており、レール材７は、ホーム側に位置する骨材４の下方部位に設けられたレール取り付けアングル９に載置した状態でネジ１０により固定されている。
一方、振れ止めレール８は、下方側が開口した断面略コ字状に形成された長尺材であって、該振れ止めレール８は、戸袋２の上部の骨材４の下面に設けられており、扉体３の上部側の振れを規制して扉体３の出没動作を円滑にするものである。 
【０００９】
また、戸袋２の奥壁側（戸袋２の開口部６に対向する奥側の壁部）には、駆動装置Ｋが設けられており、該駆動装置Ｋには、扉体３を出没駆動させる駆動モータ１１や、車輌の入線や乗降扉の開閉情報に基づいて駆動モータ１１の起動・停止を制御する制御部等が含まれている。
１２は、駆動モータ１１の動力により回転駆動する駆動側プーリである。
一方、戸袋２の内部側で開口部６近傍位置には、従動側プーリ１３が前記駆動側
プーリ１２と略水平状に取り付け部材１４を介して骨材４に取り付けられており、これら駆動側プーリ１２と従動側プーリ1３は、同一垂直面上に位置して配設されると共に、駆動側プーリ１２と従動側プーリ１３には無端ベルト１５が懸架され、駆動モータ１１の回転駆動を受けて無端ベルト１５が左右方向に移動するように構成されている。
戸袋２の正面側（プラットホーム側）には、着脱自在に構成した点検パネル１６が左右に装着されており、該点検パネル１６を取り外すことで扉体３を開閉するための駆動装置や開閉制御部等、戸袋２内の点検・修理を容易にすることができるようになっている。
【００１０】
一方、扉体３は、戸袋２から突出して乗降路を閉鎖する遮蔽面部Ｃと、常時戸袋２内部に位置して扉体３を出没自在に支持する扉支持部Ｈとで構成されており、遮蔽面部Ｃは、鋼板製の上フレーム１７、下フレーム１８、戸先フレーム１９および戸尻フレーム２０とで矩形状に形成した空間部にハニカムコア等の芯材３ａを介装し、その表裏面に化粧鋼板製の面板３ｂが貼設されている。
扉支持部Ｈは、遮蔽面部Ｃの戸尻側から戸袋２の奥壁側に向けて突成した上下の延出部で構成されており、上方の延出部は遮蔽面部Ｃの上フレーム１７端部に延設した上部延出フレーム２１で形成され、下方の延出部は下フレーム１８端部に延設した下部延出フレーム２２と、戸尻フレーム２０に直交して突設され該下部延出フレーム２２と所定間隔を存して離間対設される中間フレーム２３および下部延出フレーム２２と中間フレーム２３の端部同志を連結する連結フレーム２４とで区画される空間に平板状の支持体取り付け板２５を貼設することで構成されている。
【００１１】
中間フレーム２３には、ベルト固定金具２６が上方に向けて突成されており、該ベルト固定金具２６を無端ベルト１５の適位置に固定することにより、駆動モータ１１の回転駆動に伴う無端ベルト１５の移動を受けて、扉体３が戸袋２内に収納された乗降路の開放姿勢と、戸袋２から突出した乗降路の閉鎖姿勢との間で移動可能に構成されている。
また、上部延出フレーム２１および中間フレーム２３には、補強部材２７が戸尻フレーム２０に対して筋交状にそれぞれ跨設されている。
このようにして、上部延出フレーム２１と中間フレーム２３との間には、戸袋２の奥壁側に取り付けられた駆動装置Ｋを収容可能な収容空間部Ｓが形成されている。
尚、遮蔽面部Ｃの幅寸法は、扉体３が戸袋２から突出して遮蔽面部Ｃが乗降路を閉鎖する姿勢において、戸尻フレーム２０が戸袋２内部で開口部６の近傍に位置するように設定されており、また、遮蔽面部Ｃと扉支持部Ｈとの幅寸法を含む扉体３の全体幅寸法は、戸袋２の幅寸法より若干短寸に設定されている。
また、上部延出フレーム２１には、左右方向に離間して規制体２８がそれぞれ取り付けられ、該規制体２８は、上部延出フレーム２１の上面から上方に突成した支軸２８ａの先端に、戸袋２の上部に横設された振れ止めレール８の内寸より僅かに小径に形成した円形のローラー２８ｂが水平面内回転自在に軸承されており、これによって扉体３上部の前後方向への振れを規制して該扉体３の起立姿勢を保持するようになっている。
【００１２】
一方、扉支持部Ｈの下方に設けられた支持体取り付け板２５には、扉体３を吊持支持する支持体２９が取着されており、該支持体２９は、レール材７上を摺動自在に移動する摺動部材３１が断面略Ｌ字状の取付金具３０を介して取り付けられており、該摺動部材３１をレール材７に対して上方から被嵌して装着されている。
このように、扉体３は、支持体２９とレール材７とで吊持支持されて、その下端部とプラットホームとの間に間隙を有した状態で出没するようになっている。
尚、上記の実施形態において、上下の延出フレーム２１，２２は、遮蔽面部Ｃの上下フレーム１７，１８を延長して、それぞれ一本のフレームで構成されていても良いものである。
【００１３】
上記実施形態に示したものは、離間対設した一対の戸袋２，２からそれぞれ突出した扉体３，３の戸先部同志が当接してホーム側と線路側とを遮蔽する状態から、駆動装置Ｋが車輌停車や乗降用扉の開放信号を受けて駆動モータ１１の駆動による無端ベルト１５の移動に伴って扉体３，３は、それぞれ戸袋２，２内部に収納されて車輌への乗降路が開放されることとなるが、図２（Ａ）に示すように
戸袋２の奥壁側に取り付けられた駆動装置Ｋは、扉体３の戸尻側に形成した収容空間部Ｓに収容されるよう構成されているので、戸袋２の幅寸法は扉体３の幅寸法より僅かに大きいものでよく、戸袋２をコンパクトなものにすることができる結果、車輌の乗降口や隣接する乗降口間の寸法に対して戸袋２の幅寸法の設定が容易となる。
また、扉体３は、戸袋２から突出する部位のみに面板３ｂを貼設したので扉体３の軽量化が図れ、戸袋２から扉体３が突出した閉鎖状態でも戸先側が垂れ下がることがなく常に円滑な開閉動作を行なうことができて扉体の支持部を必要以上に堅牢化しなくてもよい。
【符号の説明】
【００１４】
１  プラットホーム用ドア装置
２  戸袋
３  扉体
７  レール材
８  振れ止めレール
１１  駆動モータ
１５  無端ベルト
２８  規制体
２９  支持体
３１  摺動部材
【図１】
2010173517.tif 000003
【図２】
2010173517.tif 000004
【図３】
2010173517.tif 000005
【図４】
2010173517.tif 000006
【図５】
2010173517.tif 000007